(57)【要約】      （修正有）【課題】べたつき感を与えることなく、皮膚との親和性及び密着性に優れるオルガノポリシロキサン、及び該オルガノポリシロキサンを含む化粧料を提供する。【解決手段】下記式（１）で示されるオルガノポリシロキサン。2011026485.tif 000097[式（１）中、Ｒ１は、互いに独立に、Ｃ１−３０アルキル基、Ｃ１−３０フッ素置換アルキル基、Ｃ６−３０アリール基、及びＣ６−３０アラルキル基から選ばれる基であり、Ｒ２は、無水アリルコハク酸の反応生成物であり，さらに２−アミノ１．３−プロパンジオールとの反応生成物である。Ａはポリジアルキルシロキサンの反応生成物である。【選択図】なし【特許請求の範囲】
【請求項１】
下記式（１）で示されるオルガノポリシロキサン。
2011026485.tif 000092
[式（１）中、Ｒ１は、互いに独立に、Ｃ１−３０アルキル基、Ｃ１−３０フッ素置換アルキル基、Ｃ６−３０アリール基、及びＣ６−３０アラルキル基から選ばれる基であり、
Ｒ２は、互いに独立に、下記式（３）で示される基、
2011026485.tif 000093
及び下記式（４）で示される基から選ばれる基であり、
2011026485.tif 000094
（式（３）及び（４）において、Ｒ４及びＲ５は共にＣ１−１２モノヒドロキシアルキル基であるか、又は、Ｒ４はＣ１−１２ジヒドロキシアルキル基であり且つＲ５は水素原子もしくはＣ１−１２アルキル基であり、
Ｒ６は水素原子、アルカリ金属原子、アンモニウムイオン又はアルキルアンモニムイオンであり、
ｇは２〜２０の整数である）
Ａは下記式（５）で示される基であり、
2011026485.tif 000095
（式（５）において、Ｒ１は上述のとおりであり、ｋは１〜５の整数、ｈは０〜５００の整数である）
ａ及びｂは、０〜３の整数であり、
ｃは０〜１００の整数、但し、１≦ａ＋ｂ＋ｃであり、
ｄは０〜２，０００の整数であり、
ｅは０〜５００の整数であり、
ｆは０〜５００の整数である］
【請求項２】
ＧＰＣで測定されるポリスチレン換算の数平均分子量が３００〜３００，０００である、請求項１に係るオルガノポリシロキサン。
【請求項３】
下記式（２）で示される請求項１又は２に係るオルガノポリシロキサン。
2011026485.tif 000096
（式（２）において、Ｒ１、Ｒ２については上述のとおりであり、ｄは０〜２００の整数である。）
【請求項４】
Ｒ１がメチル基及びブチル基から選ばれる基、Ｒ４が１，３−プロパンジオール−２−イル基もしくは１，２−プロパンジオール−３−イル基、Ｒ５及びＲ６が水素原子である、請求項１〜３のいずれか１項に係るオルガノポリシロキサン。
【請求項５】
Ｒ１がメチル基、Ｒ４及びＲ５がメチロール基、Ｒ６が水素原子である請求項１〜３のいずれか１項に係るオルガノポリシロキサン。
【請求項６】
請求項１〜５のいずれか１項に記載されたオルガノポリシロキサンを、化粧料総質量の０．１〜４０質量％含有する化粧料。
【請求項７】
水をさらに含み、エマルジョンの形態である、請求項６に係る化粧料。
【請求項８】
スキンケア用である、請求項６又は７に係る化粧料。
【請求項９】
粉体をさらに含み、液状、ペースト状又は固体状である、請求項６又は８に係る化粧料。
【発明の詳細な説明】
【技術分野】
【０００１】
本発明は、アミド基と水酸基を有するオルガノポリシロキサンに関し、詳細にはアミド基の窒素原子に連結基を介して結合された２つの水酸基を有し、皮膚への親和性に優れたオルガノポリシロキサン及びそれを含む化粧料に関する。
【背景技術】
【０００２】
ジメチルポリシロキサン等のシリコーン油は、軽い感触、優れた撥水性、及び高い安全性等の特徴を持つために、化粧料に多用されている。しかし、肌へのなじみが悪く、皮膚にきしみ感を与える等、感触面で問題がある。
【０００３】
このようなシリコーン特有の感触の悪さを改良するために、シリコーンに親水性基を導入することが行われている。例えば、種々のグリセリン変性シリコーンが知られている（例えば特許文献１）。グリセリン変性残基を含むことによって、きしみ感は改良される。しかし、グリセリン系の油剤に特有なべたつき感を与え、化粧膜の持続性の点でも満足の行くものではなかった。
【０００４】
親水性基としてアミド基を導入したシリコーンも知られている。たとえば、下記式で表される基を有するシリコーン（特許文献２）、
2011026485.tif 000002
下記式で表される基を有するシリコーン（特許文献３）、
2011026485.tif 000003
（上式で、Ｘは−Ｏ−又は−ＮＨ−、Ｍは水素原子、金属、アンモニウム等）
及び、カルボキシル基を有するポリシロキサンの該カルボキシル基の５０％を、２−アミノ−２−メチル−１−プロパノール、エタノールアミン、モルフォリン、トリエタノールアミンでアミド化したものが知られている（特許文献４）。これらのものは、洗浄用等の水性組成物用の界面活性剤としては有用であるが、皮膚に塗布した際の感触の点については必ずしも満足の行くものではない。
【先行技術文献】
【特許文献】
【０００５】
【特許文献１】特開平９−０７１５０４号公報
【特許文献２】特表平１１−５０４６６５号公報
【特許文献３】特開２００２−１１４８４９号公報
【特許文献４】米国特許第6007801号明細書
【発明の概要】
【発明が解決しようとする課題】
【０００６】
そこで、本発明は、べたつき感を与えることなく、皮膚との親和性及び密着性に優れるオルガノポリシロキサン、及び該オルガノポリシロキサンを含む化粧料を提供することを目的とする。
【課題を解決するための手段】
【０００７】
すなわち、本発明は下記式（１）で示されるオルガノポリシロキサンである。
2011026485.tif 000004
[式（１）中、Ｒ１は、互いに独立に、Ｃ１−３０アルキル基、Ｃ１−３０フッ素置換アルキル基、Ｃ６−３０アリール基、及びＣ６−３０アラルキル基から選ばれる基であり、
Ｒ２は、互いに独立に、下記式（３）で示される基、
2011026485.tif 000005
及び下記式（４）で示される基から選ばれる基であり、
2011026485.tif 000006
（式（３）及び（４）において、Ｒ４及びＲ５は共にＣ１−１２モノヒドロキシアルキル基であるか、又は、Ｒ４はＣ１−１２ジヒドロキシアルキル基であり且つＲ５は水素原子もしくはＣ１−１２アルキル基であり、
Ｒ６は水素原子、アルカリ金属原子、アンモニウムイオン又はアルキルアンモニムイオンであり、
ｇは２〜２０の整数である）
Ａは下記式（５）で示される基であり、
2011026485.tif 000007
（式（５）において、Ｒ１は上述のとおりであり、ｋは１〜５の整数、ｈは０〜５００の整数である）
ａ及びｂは、０〜３の整数であり、
ｃは０〜１００の整数、但し、１≦ａ＋ｂ＋ｃであり、
ｄは０〜２，０００の整数であり、
ｅは０〜５００の整数であり、
ｆは０〜５００の整数である］
【発明の効果】
【０００８】
上記本発明のオルガノポリシロキサンは、窒素原子に結合された２つのモノヒドロキシアルキル基、もしくは、ジヒドロキシアルキル基を備え、ポリグリセリン変性シリコーンのようなべたつき感が無く、皮膚への密着性に優れ、持ちの良い化粧料を構成することができる。
【発明を実施するための最良の形態】
【０００９】
上記式（１）、Ｒ１に関し、Ｃ１−３０アルキル基としては、メチル基、エチル基、プロピル基、ブチル基、ペンチル基、ヘキシル基、ヘプチル基、オクチル基、ノニル基、デシル基等のアルキル基、シクロペンチル基、シクロヘキシル基等のシクロアルキル基が挙げられる。Ｃ１−３０フッ素置換アルキル基としては、トリフロロプロピル基、ヘプタデカフロロデシル基等が、Ｃ６−３０アリール基としてはフェニル基及びトリル基が、Ｃ６−３０アラルキル基ベンジル基、フェネチル基等が挙げられる。
【００１０】
Ｒ１は、下記式（ｉ）で示される基であってもよい。
−ＣｍＨ２ｍ−Ｏ−（Ｃ２Ｈ４Ｏ）ｉ（Ｃ３Ｈ６Ｏ）ｊＲ３          （ｉ）
式（ｉ）において、Ｒ３は水素原子、Ｃ１−３０の脂肪族炭化水素基又はＲ７−（ＣＯ）−で示される有機基、ここでＲ７は水素原子、又はＣ１−３０の脂肪族炭化水素基であり、ｍは０〜１５の整数、好ましくは０〜５の整数、ｉは０〜５０、好ましくは０〜２０の整数である。ｊは０〜５０、好ましくは０〜２０の整数である。
【００１１】
上記Ｃ１−３０脂肪族炭化水素基としては、メチル基、エチル基、ブチル基、ラウリル基、セチル基、ステアリル基等のアルキル基、シクロペンチル基、シクロヘキシル基等のシクロアルキル基が挙げられる。好ましくはメチル基及びエチル基である。
【００１２】
式（ｉ）において、例えば、ｍ＝０、ｉ＝０、ｊ＝０の場合は、−ＯＲ３で表され、Ｃ１−３０のアルコキシ基、例えばブトキシ基などの低級アルコキシ基、オレイロキシ基、ステアロキシ基などの高級アルコキシ基が挙げられる。この場合、−ＯＲ３の加水分解性を利用する用途に使用することができる。Ｒ３がＲ７−（ＣＯ）−の場合には、−Ｏ−（ＣＯ）−Ｒ７で表され、酢酸、乳酸、酪酸、オレイン酸、ステアリン酸、ベヘニル酸などの酸残基が挙げられる。
【００１３】
式（ｉ）において、１≦ｍ、ｉ＝０、ｊ＝０の場合には、−ＣｍＨ２ｍ−Ｏ−Ｒ３で表され、例えばアルキルオキシエチル基、アルキルオキシプロピル基が挙げられる。ｍが３、５あるいは１１が好ましく、ステアリルオキシプロピル基、ベヘニルオキシペンチル基、オレイルオキシウンデシル基などがあげられる。ｉもしくはｊが０でない場合は、ポリオキシアルキレンオキシアルキル基となる。油臭が少ない点で、好ましくは、ｍは３〜１１である。
【００１４】
好ましくは、Ｒ１はＣ１−１５のアルキル基、又はフェニル基であり、より好ましくはメチル基及びブチル基から選ばれる。さらに、Ｒ１の５０％以上がメチル基であることが好ましく、最も好ましくはＲ１の７０％以上がメチル基である。
【００１５】
Ｒ２は、互いに独立に、下記式（３）で示される基、
2011026485.tif 000008
及び下記式（４）で示される基から選ばれる基である。
2011026485.tif 000009
【００１６】
式（３）及び（４）において、Ｒ４及びＲ５は共にＣ１−１２モノヒドロキシアルキル基、又は、Ｒ４はＣ１−１２ジヒドロキシアルキル基であり且つＲ５は水素原子もしくはＣ１−１２のアルキル基である。このように、本発明のオルガノポリシロキサンは、アミド結合の近傍に２個の水酸基を有する点で、皮膚中に多く存在するセラミドと類似する。このことが、皮膚密着性を高めているものと考えられる。
【００１７】
Ｃ１−１２モノヒドロキシアルキル基としては、メチロール基、エチロール基、ヒドロキシプロプロピル基、ヒドロキシブチル基、ヒドロキヒヘキシル基、ヒドロキシシクロヘキシル基、ヒドロキシラウリル基等が挙げられる。これらの基において、ヒドロキシ基の位置はいずれであってもよいが、好ましくは末端である。また、Ｒ４とＲ５とは同じでも異なっていてもよい。
【００１８】
Ｃ１−１２ジヒドロキシアルキル基としては、１，３−プロパンジオール−２−イル基、１，２−プロパンジオール−３−イル基、及び１，４−ブタンジオール−２−イル基が挙げられる。
【００１９】
Ｃ１−１２アルキル基としては、メチル基、エチル基、ヘキシル基、ラウリル基等があげられる。
【００２０】
好ましくは、Ｒ４及びＲ５が共にメチロール基、又はＲ４が１，３−プロパンジオール−２−イル基もしくは１，２−プロパンジオール−３−イル基であり且つＲ５が水素原子である。
【００２１】
Ｒ６は、カチオン性の基であり、水素原子、リチウム、ナトリウム、カリウム等のアルカリ金属原子、又はアンモニウムイオン、アルキルアンモニウムイオン等である。好ましくは、Ｒ６は水素原子、ナトリウム、又はカリウム原子であり、より好ましくは水素原子である。ｇは２〜２０、好ましくは２〜１０の整数である。
【００２２】
Ａは下記式（５）で示される基である。
2011026485.tif 000010
式（５）において、Ｒ１は上述のとおりであり、ｋは１〜５、好ましくは２〜４、の整数であり、ｈは０〜５００、好ましくは３〜１００、より好ましくは３〜６０、の整数である。
【００２３】
式（１）において、ａ及びｂは０〜３の整数であり、ｃは０〜１００、好ましくは０〜５０の整数、但し、ａ＋ｂ＋ｃは１以上、好ましくは１〜３０の整数である。ａ＋ｂ＋ｃが１００を超えるオルガノポリシロキサンは、粘度が高く、取り扱い難い。
【００２４】
ｄは０〜２，０００、好ましくは０〜５００の整数であり、ｅは０〜５００、好ましくは０〜１００の整数であり、ｆは０〜５００、好ましくは０〜１００の整数である。
【００２５】
該オルガノポリシロキサンのＧＰＣで測定されるポリスチレン換算の数平均分子量は３００〜３００，０００が好ましく、より好ましくは５００〜１００，０００である。特に、粉体の分散剤用途には、５００〜１０，０００、特に５００〜５，０００が好ましい。
【００２６】
好ましくは、本発明のオルガノポリシロキサンは下記式（２）で示される。
2011026485.tif 000011
式（２）において、Ｒ１、Ｒ２については上述のとおりであり、ｄは０〜２００の整数、好ましくは０〜１００、より好ましくは２０〜８０、最も好ましくは１０〜５０の整数である。
【００２７】
本発明のオルガノポリシロキサンは、以下の方法で合成することができる。
（工程１）オルガノハイドロジェンポリシロキサンと、下記式（９）で示される化合物を白金触媒又はロジウム触媒の存在下に付加反応させ、酸無水物基含有オルガノポリシロキサンを合成する。
2011026485.tif 000012
（式（９）中ｇは上述のとおりである）
（工程２）（工程１）で合成された酸無水物基含有オルガノポリシロキサンと第１級又は第２級のアミノ化合物と反応させて、酸無水物基を開環させる。さらに、工程２で得られたカルボン酸を水酸化ナトリウム、アンモニア水等と反応させることによって、Ｒ６がアルカリ金属原子、アンモニウムイオンであるものを得ることができる。
【００２８】
上記式（９）で示される化合物としては、コハク酸無水物誘導体、例えば、無水ビニルコハク酸、無水アリルコハク酸、無水ヘキセニルコハク酸等が挙げられ、好ましくは無水アリルコハク酸が使用される。
【００２９】
本発明のオルガノポリシロキサンが、上記式（ｉ）で表されるＲ１を有する場合には、工程１において下記式（７）：
ＣｍＨ（２ｍ―１）−Ｏ−（Ｃ２Ｈ４Ｏ）ｉ（Ｃ３Ｈ６Ｏ）ｊ−Ｒ３    （７）
で示される不飽和基とポリオキシアルキレン基を有する化合物を、上記式（９）の化合物と共に、付加反応に付する。また、オルガノポリシロキサンが、式（５）の基を有する場合には、下記式（８）で示される不飽和基を有するシリコーン化合物を、
2011026485.tif 000013
（式（７）、（８）において、Ｒ１、Ｒ３、ｍ、ｉ、ｊ、ｋ、ｈは上記のとおりである）
上記式（９）の化合物と共に、付加反応に付する。
【００３０】
工程１において、オルガノハイドロジェンポリシロキサンと上記式（７）、（８）、（９）で示される不飽和基含有化合物の合計の反応割合は、ＳｉＨ基と不飽和基のモル比で０．５〜２．０、好ましくは０．８〜１．２である。
【００３１】
また、上記付加反応は、白金触媒又はロジウム触媒の存在下で行うことが望ましく、例えば、塩化白金酸、アルコール変性塩化白金酸、塩化白金酸−ビニルシロキサン錯体等が好適に使用される。なお、触媒の使用量は、触媒として有効な量であってよいが、白金又はロジウム量で５０ｐｐｍ以下、好ましくは２０ｐｐｍ以下である。
【００３２】
上記付加反応は、必要に応じて有機溶剤中で行ってもよく、有機溶剤としては、例えばトルエン、キシレン等の芳香族炭化水素、ｎ−ペンタン、ｎ−ヘキサン、シクロヘキサン等の脂肪族または脂環式炭化水素、ジクロロメタン、クロロホルム、四塩化炭素等のハロゲン化炭化水素、テトラヒドロフラン、ジオキサンなどのエーテル、アセトン、メチルエチルケトンなどのケトンが挙げられる。好ましく無溶剤か、炭化水素溶剤又はエーテル系溶剤を使用する。
【００３３】
付加反応条件は特に限定されないが、溶剤を用いた場合にはその還流下で、１〜１０時間反応させることが好適である。
【００３４】
工程２で使用される第１級又は第２級アミノ化合物としては、２−アミノエタノール、２−アミノプロパノール、３−アミノプロパノール、６−アミノヘキサノール、５−アミノヘキサノール、２−アミノシクロヘキサノール、１２−アミノラウリルアルコール、２−アミノ−１，３−プロパンジオール、３―アミノ−１，２−プロパンジオール、２−アミノ−１，４−ブタンジオール、２−アミノ−１，３−ブタンジオール、などの１級アミノアルコール化合物、ジエタノールアミン、ジプロパノールアミン、Ｎ−エチルエタノールアミン、Ｎ−ヘキシルエタノールアミン、Ｎ−ラウリルエタノールアミンなどの２級アミノアルコール化合物が挙げられる。なかでも２−アミノ−１，３−プロパンジオール、３―アミノ−１，２−プロパンジオール、及びジエタノールアミンが好ましい。
【００３５】
上記開環反応は無触媒でも容易に進行するが、酢酸カリウム、酢酸ナトリムなどの無機塩を触媒としても良い。また、必要に応じて溶媒中で行っても良く、有機溶剤としては、例えばトルエン、キシレン等の芳香族炭化水素、ｎ−ペンタン、ｎ−ヘキサン、シクロヘキサン等の脂肪族または脂環式炭化水素、ジクロロメタン、クロロホルム、四塩化炭素等のハロゲン化炭化水素、テトラヒドロフラン、ジオキサンなどのエーテル、アセトン、メチルエチルケトンなどのケトンが挙げられるが、好ましく無溶剤か、炭化水素溶剤又はエーテル系溶剤を使用する。
【００３６】
本発明のシリコーン化合物は、各種用途に使用することができるが、特に皮膚や毛髪に外用されるすべての化粧料の原料として好適である。この場合、上記式（１）のシリコーン化合物の配合量は、化粧品全体の０．１〜４０質量部の範囲が好適である。
【００３７】
本発明の化粧料には、その目的に応じて１種又は２種以上の油剤を配合することができる。通常の化粧料に使用されるものであれば、固体、半固体、液状、いずれの油剤も使用することができ、例えば、天然動植物油脂類及び半合成油脂、炭化水素油、高級アルコール、エステル油、慣用のシリコーン油、フッ素系油剤を用いることができる。
【００３８】
天然動植物油脂類及び半合成油脂としては、例えばアボガド油、アマニ油、アーモンド油、イボタロウ、エノ油、オリーブ油、カカオ脂、カポックロウ、カヤ油、カルナウバロウ、肝油、キャンデリラロウ、精製キャンデリラロウ、牛脂、牛脚脂、牛骨脂、硬化牛脂、キョウニン油、鯨ロウ、硬化油、小麦胚芽油、ゴマ油、コメ胚芽油、コメヌカ油、サトウキビロウ、サザンカ油、サフラワー油、シアバター、シナギリ油、シナモン油、ジョジョバロウ、スクワラン、スクワレン、セラックロウ、タートル油、大豆油、茶実油、ツバキ油、月見草油、トウモロコシ油、豚脂、ナタネ油、日本キリ油、ヌカロウ、胚芽油、馬脂、パーシック油、パーム油、パーム核油、ヒマシ油、硬化ヒマシ油、ヒマシ油脂肪酸メチルエステル、ヒマワリ油、ブドウ油、ベイベリーロウ、ホホバ油、マカデミアナッツ油、ミツロウ、ミンク油、メドウフォーム油、綿実油、綿ロウ、モクロウ、モクロウ核油、モンタンロウ、ヤシ油、硬化ヤシ油、トリヤシ油脂肪酸グリセライド、羊脂、落花生油、ラノリン、液状ラノリン、還元ラノリン、ラノリンアルコール、硬質ラノリン、酢酸ラノリン、酢酸ラノリンアルコール、ラノリン脂肪酸イソプロピル、ＰＯＥラノリンアルコールエーテル、ＰＯＥラノリンアルコールアセテート、ラノリン脂肪酸ポリエチレングリコール、ＰＯＥ水素添加ラノリンアルコールエーテル、卵黄油等が挙げられる。但し、ＰＯＥはポリオキシエチレンを意味する。
【００３９】
炭化水素油としては、直鎖状、分岐状、さらに揮発性の炭化水素油等が挙げられ、具体的には、オゾケライト、α−オレフィンオリゴマー、軽質イソパラフィン、イソドデカン、イソヘキサデカン、軽質流動イソパラフィン、スクワラン、合成スクワラン、植物性スクワラン、スクワレン、セレシン、パラフィン、パラフィンワックス、ポリエチレンワックス、ポリエチレン・ポリプロピレンワックス、（エチレン／プロピレン／スチレン）コポリマー、（ブチレン／プロピレン／スチレン）コポリマー、流動パラフィン、流動イソパラフィン、プリスタン、ポリイソブチレン、水添ポリイソブテン、マイクロクリスタリンワックス、ワセリン等；高級脂肪酸としては、ラウリン酸、ミリスチン酸、パルミチン酸、ステアリン酸、ベヘン酸、ウンデシレン酸、オレイン酸、リノール酸、リノレン酸、アラキドン酸、エイコサペンタエン酸（ＥＰＡ）、ドコサヘキサエン酸（ＤＨＡ）、イソステアリン酸、１２−ヒドロキシステアリン酸等が挙げられる。
【００４０】
高級アルコールとしては、ラウリルアルコール、ミリスチルアルコール、パルミチルアルコール、ステアリルアルコール、ベヘニルアルコール、ヘキサデシルアルコール、オレイルアルコール、イソステアリルアルコール、ヘキシルドデカノール、オクチルドデカノール、セトステアリルアルコール、２−デシルテトラデシノール、コレステロール、フィトステロール、ＰＯＥコレステロールエーテル、モノステアリルグリセリンエーテル（バチルアルコール）、モノオレイルグリセリルエーテル（セラキルアルコール）等が挙げられる。
【００４１】
エステル油としては、アジピン酸ジイソブチル、アジピン酸２−ヘキシルデシル、アジピン酸ジ−２−ヘプチルウンデシル、モノイソステアリン酸Ｎ−アルキルグリコール、イソステアリン酸イソセチル、トリイソステアリン酸トリメチロールプロパン、ジ−２−エチルヘキサン酸エチレングリコール、２−エチルヘキサン酸セチル、トリ−２−エチルヘキサン酸トリメチロールプロパン、テトラ−２−エチルヘキサン酸ペンタエリスリトール、オクタン酸セチル、オクチルドデシルガムエステル、オレイン酸オレイル、オレイン酸オクチルドデシル、オレイン酸デシル、ジオクタン酸ネオペンチルグリコール、ジカプリン酸ネオペンチルグリコール、クエン酸トリエチル、コハク酸２−エチルヘキシル、酢酸アミル、酢酸エチル、酢酸ブチル、ステアリン酸イソセチル、ステアリン酸ブチル、セバシン酸ジイソプロピル、セバシン酸ジ−２−エチルヘキシル、乳酸セチル、乳酸ミリスチル、イソノナン酸イソノニル、イソノナン酸イソトリデシル、パルミチン酸イソプロピル、パルミチン酸２−エチルヘキシル、パルミチン酸２−ヘキシルデシル、パルミチン酸２−ヘプチルウンデシル、１２−ヒドロキシステアリル酸コレステリル、ジペンタエリスリトール脂肪酸エステル、ミリスチン酸イソプロピル、ミリスチン酸オクチルドデシル、ミリスチン酸２−ヘキシルデシル、ミリスチン酸ミリスチル、ジメチルオクタン酸ヘキシルデシル、ラウリン酸エチル、ラウリン酸ヘキシル、Ｎ−ラウロイル−Ｌ−グルタミン酸−２−オクチルドデシルエステル、ラウロイルサルコシンイソプロピルエステル、リンゴ酸ジイソステアリル等；グリセライド油としては、アセトグリセリル、トリイソオクタン酸グリセリル、トリイソステアリン酸グリセリル、トリイソパルミチン酸グリセリル、トリベヘン酸グリセリル、モノステアリン酸グリセリル、ジ−２−ヘプチルウンデカン酸グリセリル、トリミリスチン酸グリセリル、ミリスチン酸イソステアリン酸ジグリセリル等が挙げられる。
【００４２】
シリコーン油としては、ジメチルポリシロキサン、トリストリメチルシロキシメチルシラン、カプリリルメチコン、フェニルトリメチコン、テトラキストリメチルシロキシシラン、メチルフェニルポリシロキサン，メチルヘキシルポリシロキサン、メチルハイドロジェンポリシロキサン、ジメチルシロキサン・メチルフェニルシロキサン共重合体等の低粘度から高粘度の直鎖或いは分岐状のオルガノポリシロキサン、オクタメチルシクロテトラシロキサン、デカメチルシクロペンタシロキサン、ドデカメチルシクロヘキサシロキサン，テトラメチルテトラハイドロジェンシクロテトラシロキサン、テトラメチルテトラフェニルシクロテトラシロキサン等の環状オルガノポリシロキサン、アミノ変性オルガノポリシロキサン、ピロリドン変性オルガノポリシロキサン、ピロリドンカルボン酸変性オルガノポリシロキサン、高重合度のガム状ジメチルポリシロキサン、ガム状アミノ変性オルガノポリシロキサン、ガム状のジメチルシロキサン・メチルフェニルシロキサン共重合体等のシリコーンゴム、及びシリコーンガムやゴムの環状オルガノポリシロキサン溶液、トリメチルシロキシケイ酸、トリメチルシロキシケイ酸の環状シロキサン溶液、ステアロキシリコーン等の高級アルコキシ変性シリコーン、高級脂肪酸変性シリコーン、アルキル変性シリコーン、長鎖アルキル変性シリコーン、アミノ酸変性シリコーン、フッ素変性シリコーン、シリコーン樹脂及びシリコーンレジンの溶解物等が挙げられる。
フッ素系油剤としては、パーフルオロポリエーテル、パーフルオロデカリン、パーフルオロオクタン等が挙げられる。これら油剤の配合量は、剤系によっても異なるが、化粧料全体の１〜９８質量％の範囲が好適である。
【００４３】
本発明の化粧料には、その目的に応じて水を配合することも出来る。その配合量は、剤系によっても異なるが、化粧料全体の１〜９５質量％の範囲が好適である。
【００４４】
本発明の化粧料には、その目的に応じて、Ｃ２−５低級アルコール、Ｃ２−１０多価アルコールを１種又は２種以上、用いることもできる。該アルコールとしては、エタノール、イソプロパノール等の低級アルコール、ソルビトール、マルトース等の糖アルコール等があり、コレステロール、シトステロール、フィトステロール、ラノステロール等のステロール、ブチレングリコール、プロピレングリコール、ジブチレングリコール、ペンチレングリコール等の多価アルコール等がある。配合量としては、化粧料全体の０．１〜９８質量％の範囲が好適である。
【００４５】
本発明の化粧料には、その目的に応じて水溶性或いは水膨潤性高分子を用いるこができる。なかでも、植物系高分子、微生物系高分子、動物系高分子、デンプン系高分子、セルロース系高分子、アルギン酸系高分子、ポリオキシエチレンポリオキシプロピレン共重合体系高分子、アクリル系高分子、及び無機系水溶性高分子から選ばれる１種又は２種以上の水溶性増粘剤が好ましく使用される。例えば、アラビアゴム、トラガカント、ガラクタン、キャロブガム、グアーガム、カラヤガム、カラギーナン、ペクチン、寒天、クインスシード（マルメロ）、デンプン（コメ、トウモロコシ、バレイショ、コムギ等）、アルゲコロイド、トラントガム、ローカストビーンガム等の植物系高分子、キサンタンガム、デキストラン、サクシノグルカン、プルラン等の微生物系高分子、コラーゲン、カゼイン、アルブミン、ゼラチン等の動物系高分子、カルボキシメチルデンプン、メチルヒドロキシプロピルデンプン等のデンプン系高分子、メチルセルロース、エチルセルロース、メチルヒドロキシプロピルセルロース、カルボキシメチルセルロース、ヒドロキシメチルセルロース、ヒドロキシプロピルセルロース、ニトロセルロース、セルロース硫酸ナトリウム、カルボキシメチルセルロースナトリウム、結晶セルロース、セルロース末のセルロース系高分子、アルギン酸ナトリウム、アルギン酸プロピレングリコールエステル等のアルギン酸系高分子、ポリビニルメチルエーテル、カルボキシビニルポリマー等のビニル系高分子、ポリオキシエチレン系高分子、ポリオキシエチレンポリオキシプロピレン共重合体系高分子、ポリアクリル酸ナトリウム、ポリエチルアクリレート、ポリアクリルアミド、アクリロイルジメチルタウリン塩コポリマー等のアクリル系高分子、ポリエチレンイミン、カチオンポリマーなど他の合成水溶性高分子、ベントナイト、ケイ酸アルミニウムマグネシウム、モンモリロナイト、バイデライト、ノントロナイト、サポナイト、ヘクトライト、無水ケイ酸等の無機系水溶性高分子などがある。配合量としては、化粧料全体の０．１〜２５質量％の範囲が好適である。
【００４６】
本発明の化粧料には、その目的に応じて、粉体を１種又は２種以上、用いることもできる。粉体としては、通常の化粧料に使用されるものであれば、その形状（球状、針状、板状等）や粒子径（煙霧状、微粒子、顔料級等）、粒子構造（多孔質、無孔質等）を問わず、いずれのものも使用することができ、例えば無機粉体、有機粉体、界面活性剤金属塩粉体、有色顔料、パール顔料、金属粉末顔料、天然色素等があげられ、具体的には、無機粉体としては、酸化チタン、酸化ジルコニウム、酸化亜鉛、酸化セリウム、酸化マグネシウム、硫酸バリウム、硫酸カルシウム、硫酸マグネシウム、炭酸カルシウム、炭酸マグネシウム、タルク、マイカ、カオリン、セリサイト、白雲母、合成雲母、金雲母、紅雲母、黒雲母、リチア雲母、ケイ酸、無水ケイ酸、ケイ酸アルミニウム、ケイ酸マグネシウム、ケイ酸アルミニウムマグネシウム、ケイ酸カルシウム、ケイ酸バリウム、ケイ酸ストロンチウム、タングステン酸金属塩、ヒドロキシアパタイト、バーミキュライト、ハイジライト、ベントナイト、モンモリロナイト、ヘクトライト、ゼオライト、セラミックスパウダー、第二リン酸カルシウム、アルミナ、水酸化アルミニウム、窒化ホウ素、窒化ボロン、シリカ等；有機粉体としては、ポリアミドパウダー、ポリエステルパウダー、ポリエチレンパウダー、ポリプロピレンパウダー、ポリスチレンパウダー、ポリウレタン、ベンゾグアナミンパウダー、ポリメチルベンゾグアナミンパウダー、テトラフルオロエチレンパウダー、ポリメチルメタクリレートパウダー、セルロース、シルクパウダー、ナイロンパウダー、１２ナイロン、６ナイロン、シリコーンパウダー、スチレン・アクリル酸共重合体、ジビニルベンゼン・スチレン共重合体、ビニル樹脂、尿素樹脂、フェノール樹脂、フッ素樹脂、ケイ素樹脂、アクリル樹脂、メラミン樹脂、エポキシ樹脂、ポリカーボネイト樹脂、微結晶繊維粉体、デンプン末、ラウロイルリジン等；界面活性剤金属塩粉体（金属石鹸）としては、ステアリン酸亜鉛、ステアリン酸アルミニウム、ステアリン酸カルシウム、ステアリン酸マグネシウム、ミリスチン酸亜鉛、ミリスチン酸マグネシウム、セチルリン酸亜鉛、セチルリン酸カルシウム、セチルリン酸亜鉛ナトリウム等；有色顔料としては、酸化鉄、水酸化鉄、チタン酸鉄の無機赤色顔料、γー酸化鉄等の無機褐色系顔料、黄酸化鉄、黄土等の無機黄色系顔料、黒酸化鉄、カーボンブラック等の無機黒色顔料、マンガンバイオレット、コバルトバイオレット等の無機紫色顔料、水酸化クロム、酸化クロム、酸化コバルト、チタン酸コバルト等の無機緑色顔料、紺青、群青等の無機青色系顔料、タール系色素をレーキ化したもの、天然色素をレーキ化したもの、及びこれらの粉体を複合化した合成樹脂粉体等；パール顔料としては、酸化チタン被覆雲母、酸化チタン被覆マイカ、オキシ塩化ビスマス、酸化チタン被覆オキシ塩化ビスマス、酸化チタン被覆タルク、魚鱗箔、酸化チタン被覆着色雲母等；金属粉末顔料としては、アルミニウムパウダー、カッパーパウダー、ステンレスパウダー等；タール色素としては、赤色３号、赤色１０４号、赤色１０６号、赤色２０１号、赤色２０２号、赤色２０４号、赤色２０５号、赤色２２０号、赤色２２���号、赤色２２７号、赤色２２８号、赤色２３０号、赤色４０１号、赤色５０５号、黄色４号、黄色５号、黄色２０２号、黄色２０３号、黄色２０４号、黄色４０１号、青色１号、青色２号、青色２０１号、青色４０４号、緑色３号、緑色２０１号、緑色２０４号、緑色２０５号、橙色２０１号、橙色２０３号、橙色２０４号、橙色２０６号、橙色２０７号等；天然色素としては、カルミン酸、ラッカイン酸、カルサミン、ブラジリン、クロシン等から選ばれる粉体である。
【００４７】
これらの粉体は本発明の効果を妨げない範囲で、粉体を複合化したものや、一般油剤、シリコーン油、フッ素化合物、界面活性剤等で処理したものも使用することができ、加水分解性シリル基やケイ素原子に直接結合した水素原子を有するアルキル基で処理したもの、加水分解性シリル基やケイ素原子に直接結合した水素原子を有する直鎖状及び／又は分岐状のオルガノポリシロキサン、加水分解性シリル基やケイ素原子に直接結合した水素原子を有し長鎖アルキルで共変性された直鎖状及び／又は分岐状オルガノポリシロキサン、加水分解性シリル基やケイ素原子に直接結合した水素原子を有しポリオキシアルキレンで共変性された直鎖状及び／又は分岐状オルガノポリシロキサン、加水分解性シリル基やケイ素原子に直接結合した水素原子を有するアクリル−シリコーン系共重合体等も必要に応じて一種、又は二種以上用いることができる。
【００４８】
また、粉体の配合量としては、化粧料全体の０．１〜９９質量％の範囲が好適である。特に、粉末固形化粧料の場合の配合量としては、化粧料全体の８０〜９９質量％の範囲が好適である。
【００４９】
本発明の化粧料には、その目的に応じて１種又は２種以上の界面活性剤を用いることもできる。このような界面活性剤としては、アニオン性、カチオン性、非イオン性及び両性の活性剤があるが、特に制限されるものではなく、通常の化粧料に使用されるものであれば、いずれのものも使用することができる。
【００５０】
アニオン性界面活性剤としては、ステアリン酸ナトリウムやパルミチン酸トリエタノールアミン等の脂肪酸セッケン、アルキルエーテルカルボン酸及びその塩、アミノ酸と脂肪酸の縮合物塩、アルカンスルホン酸塩、アルケンスルホン酸塩、脂肪酸エステルのスルホン酸塩、脂肪酸アミドのスルホン酸塩、ホルマリン縮合系スルホン酸塩、アルキル硫酸エステル塩、第二級高級アルコール硫酸エステル塩、アルキル及びアリルエーテル硫酸エステル塩、脂肪酸エステルの硫酸エステル塩、脂肪酸アルキロールアミドの硫酸エステル塩、ロート油等の硫酸エステル塩類、アルキルリン酸塩、エーテルリン酸塩、アルキルアリルエーテルリン酸塩、アミドリン酸塩、Ｎ−アシル乳酸塩、Ｎ−アシルサルコシン塩、Ｎ−アシルアミノ酸系活性剤等が挙げられる。
【００５１】
カチオン性界面活性剤としては、アルキルアミン塩、ポリアミン及びアミノアルコール脂肪酸誘導体等のアミン塩、アルキル四級アンモニウム塩、芳香族四級アンモニウム塩、ピリジウム塩、イミダゾリウム塩等が挙げられる。
【００５２】
非イオン性界面活性剤としては、ソルビタン脂肪酸エステル、グリセリン脂肪酸エステル、ポリグリセリン脂肪酸エステル、プロピレングリコール脂肪酸エステル、ポリエチレングリコール脂肪酸エステル、ショ糖脂肪酸エステル、メチルグルコシド脂肪酸エステル、アルキルポリグルコシド、ポリオキシエチレンアルキルエーテル、ポリオキシプロピレンアルキルエーテル、ポリオキシエチレンアルキルフェニルエーテル、ポリオキシエチレン脂肪酸エステル、ポリオキシエチレンソルビタン脂肪酸エステル、ポリオキシエチレンソルビトール脂肪酸エステル、ポリオキシエチレングリセリン脂肪酸エステル、ポリオキシエチレンプロピレングリコール脂肪酸エステル、ポリオキシエチレンヒマシ油、ポリオキシエチレン硬化ヒマシ油、ポリオキシエチレンフィトスタノールエーテル、ポリオキシエチレンフィトステロールエーテル、ポリオキシエチレンコレスタノールエーテル、ポリオキシエチレンコレステリルエーテル、直鎖或いは分岐状ポリオキシアルキレン変性オルガノポリシロキサン、直鎖或いは分岐状ポリオキシアルキレン・アルキル共変性オルガノポリシロキサン、直鎖状或いは分岐状のポリグリセリン変性オルガノポリシロキサン、直鎖状或いは分岐状ポリグリセリン・アルキル共変性オルガノポリシロキサン、アルカノールアミド、糖エーテル、糖アミド等が挙げられる。
【００５３】
両性界面活性剤としては、ベタイン、ホスファチジルコリン、アミノカルボン酸塩、イミダゾリン誘導体、アミドアミン型等が挙げられる。これらの界面活性剤の中でも、分子中にポリオキシアルキレン鎖、または、ポリグリセリン鎖を有する直鎖又は分岐状オルガノポリシロキサン、或いはさらに炭素数６〜２０の長鎖アルキル基を有する直鎖又は分岐状オルガノポリシロキサンであることが好ましい。
【００５４】
また、これらの界面活性剤において、親水性のポリオキシアルキレン基、またはポリグリセリン残基の含有量が、分子中の１０〜７０質量％を占めることが好ましく、配合量としては、化粧料全体の０．１〜２０質量％、特に好ましくは、０．２〜１０質量％の範囲が好適である。
【００５５】
本発明の化粧料には、アクリルシリコーン樹脂及び網状シリコーン樹脂から選ばれるシリコーン樹脂を含んでよい。アクリルシリコーン樹脂はアクリル／シリコーングラフト又はブロック共重合体である。また、ピロリジニル基、長鎖アルキル基、ポリオキシアルキレン基分及びフルオロアルキル基、カルボキシル基などのアニオン性の基の中から選択される少なくとも１種を分子中に含有するアクリルシリコーン樹脂を使用することもできる。
【００５６】
網状シリコーン樹脂はＲ13ＳｉＯ0.5単位とＳｉＯ2単位から構成される樹脂、Ｒ13ＳｉＯ0.5単位とＲ12ＳｉＯ単位及びＳｉＯ2単位から構成される樹脂、Ｒ13ＳｉＯ0.5単位とＲ1ＳｉＯ1.5単位から構成される樹脂、Ｒ13ＳｉＯ0.5単位とＲ12ＳｉＯ単位及びＲ1ＳｉＯ1.5単位から構成される樹脂、Ｒ13ＳｉＯ0.5単位、Ｒ12ＳｉＯ単位、Ｒ1ＳｉＯ1.5単位及びＳｉＯ2単位から構成される樹脂から選ばれる。また、ピロリジニル基、長鎖アルキル基、ポリオキシアルキレン基及びフルオロアルキル基、アミノ基の中から選択される少なくとも１種を分子中に含有する網状シリコーンを使用することもできる。シリコーン樹脂を用いる場合の配合量としては、化粧料の総量に対して０．１〜２０質量％が好ましく、更に好ましくは１〜１０質量％である。
【００５７】
本発明の化粧料には、その目的に応じて１種又は２種以上の架橋型オルガノポリシロキサンと室温で液状の油剤からなる組成物を用いることもできる。この架橋型オルガノポリシロキサンは、液状油に対し、自重以上の該液状油を含んで膨潤することが好ましい。液状油としては、上記液状のシリコーン油、炭化水素油、エステル油、天然動植物油、半合成油等、フッ素系油を用いることができ、たとえば、０．６５ｍｍ２／秒（２５℃）〜１００．０ｍｍ２／秒（２５℃）の低粘度シリコーン油、流動パラフィン、スクワラン、イソドデカン、イソヘキサデカン等の炭化水素油やトリオクタノイン等のグリセライド油、イソノナン酸イソトリデシル、Ｎ−アシルグルタミン酸エステル、ラウロイルサルコシン酸エステル等のエステル油、マカデミアナッツ油などの天然動植物油が挙げられる。また、この架橋型オルガノポリシロキサンの架橋剤は、分子中に二つ以上のビニル性反応部位を持ち、かつ、ケイ素原子に直接結合した水素原子との間で反応することにより、架橋構造を形成するものであることが好ましい。分子中に二つ以上のビニル性反応部位を持つものとしては、分子中に二つ以上のビニル基を有するオルガノポリシロキサン、分子中に二つ以上のアリル基を有するポリオキシアルキレン、分子中に二つ以上のアリル基を有するポリグリセリン、α、ω−アルケニルジエンなどが挙げられる。また、ポリオキシアルキレン基、ポリグリセリン残基、長鎖アルキル基、アルケニル基、アリール基、及びフルオロアルキル基からなる群から選択される少なくとも１種を有する架橋剤を使用することもできる。架橋型オルガノポリシロキサンと室温で液状の油剤からなる組成物を用いる場合の配合量としては、化粧料の総量に対して０．１〜８０質量％が好ましく、更に好ましくは１〜５０質量％である。
【００５８】
本発明の化粧料には、その目的に応じて１種又は２種以上のα−オレフィンとジエンを反応させて得られる不飽和基を有するオレフィンワックスと１分子１個以上のＳｉＨ結合を有するオルガノハイドロジェンポリシロキサンとを付加反応させることによって得られるシリコーン変性オレフィンワックスを含むことができる。α−オレフィンとしてはエチレン、プロピレン、１−ブテン、１−ヘキセン、４−メチル１−ペンテンなどの炭素原子数２〜１２が好ましく、ジエンとしてはブタジエン、イソプレン、１．４ヘキサジエン、ビニルノルボルネン、エチリデンノルボルネン、ジシクロペンタジエン、などが好ましい。ＳｉＨ結合を有するオルガノハイドロジェンポリシロキサンは直鎖状やシロキサン分岐型等の構造のものが使用できる。
【００５９】
更に本発明の化粧料には、本発明の効果を妨げない範囲で通常の化粧料に使用される成分、油溶性ゲル化剤、有機変性粘土鉱物、制汗剤、紫外線吸収剤、紫外線吸収散乱剤、保湿剤、防腐剤、抗菌剤、香料、塩類、酸化防止剤、ｐＨ調整剤、キレート剤、清涼剤、抗炎症剤、美肌用成分（美白剤、細胞賦活剤、肌荒れ改善剤、血行促進剤、皮膚収斂剤、抗脂漏剤等）、ビタミン類、アミノ酸類、核酸、ホルモン、包接化合物、毛髪用固形化剤等を添加することができる。
【００６０】
油溶性ゲル化剤としては、アルミニウムステアレート、マグネシウムステアレート、ジンクミリステート等の金属セッケン、Ｎ−ラウロイル−Ｌ−グルタミン酸、α，γ−ジ−ｎ−ブチルアミン等のアミノ酸誘導体、デキストリンパルミチン酸エステル、デキストリンステアリン酸エステル、デキストリン２−エチルヘキサン酸パルミチン酸エステル等のデキストリン脂肪酸エステル、ショ糖パルミチン酸エステル、ショ糖ステアリン酸エステル等のショ糖脂肪酸エステル、フラクトオリゴ糖ステアリン酸エステル、フラクトオリゴ糖２−エチルヘキサン酸エステル等のフラクトオリゴ糖脂肪酸エステル、モノベンジリデンソルビトール、ジベンジリデンソルビトール等のソルビトールのベンジリデン誘導体、ジメチルベンジルドデシルアンモニウムモンモリロナイトクレー、ジメチルジオクタデシルアンモニウムモンモリナイトクレー等の有機変性粘土鉱物等から選ばれるゲル化剤が挙げられる。
【００６１】
制汗剤としては、アルミニウムクロロハイドレート、塩化アルミニウム、アルミニウムセスキクロロハイドレート、ジルコニルヒドロキシクロライド、アルミニウムジルコニウムヒドロキシクロライド、アルミニウムジルコニウムグリシン錯体等から選ばれる制汗剤が挙げられる。
【００６２】
紫外線吸収剤としては、パラアミノ安息香酸等の安息香酸系紫外線吸収剤、アントラニル酸メチル等のアントラニル酸系紫外線吸収剤、サリチル酸メチル、サリチル酸オクチル、サリチル酸トリメチルシクロヘキシル等のサリチル酸系紫外線吸収剤、パラメトキシケイ皮酸オクチル等のケイ皮酸系紫外線吸収剤、２，４−ジヒドロキシベンゾフェノン等のベンゾフェノン系紫外線吸収剤、ウロカニン酸エチル等のウロカニン酸系紫外線吸収剤、４−ｔ−ブチル−４’−メトキシ−ジベンゾイルメタン等のジベンゾイルメタン系紫外線吸収剤、フェニルベンズイミダゾールスルフォン酸、トリアジン誘導体等が挙げられ、紫外線吸収散乱剤としては微粒子酸化チタン、微粒子鉄含有酸化チタン、微粒子酸化亜鉛、微粒子酸化セリウム及びそれらの複合体等、紫外線を吸収散乱する粉体が挙げられ、これらの紫外線を吸収散乱する粉体をあらかじめ油剤に分散させた分散物を用いることもできる。
【００６３】
保湿剤としては、グリセリン、ソルビトール、プロピレングリコール、ジプロピレングリコール、１，３−ブチレングリコール、ペンチレングリコール、グルコース、キシリトール、マルチトール、ポリエチレングリコール、ヒアルロン酸、コンドロイチン硫酸、ピロリドンカルボン酸塩、ポリオキシエチレンメチルグルコシド、ポリオキシプロピレンメチルグルコシド、卵黄レシチン、大豆レシチン、ホスファチジルコリン、ホスファチジルエタノールアミン、ホスファジチルセリン、ホスファチジルグリセロール、ホスファチジルイノシトール、スフィンゴリン脂質等がある。
【００６４】
防菌防腐剤としては、パラオキシ安息香酸アルキルエステル、安息香酸、安息香酸ナトリウム、ソルビン酸、ソルビン酸カリウム、フェノキシエタノール等、抗菌剤としては、安息香酸、サリチル酸、石炭酸、ソルビン酸、パラオキシ安息香酸アルキルエステル、パラクロルメタクレゾール、ヘキサクロロフェン、塩化ベンザルコニウム、塩化クロルヘキシジン、トリクロロカルバニリド、感光素、フェノキシエタノール等がある。
【００６５】
塩類としては無機塩、有機酸塩、アミン塩及びアミノ酸塩が挙げられる。無機塩としては、たとえば、塩酸、硫酸、炭酸、硝酸等の無機酸のナトリウム塩、カリウム塩、マグネシウム塩、カルシウム塩、アルミニウム塩、ジルコニウム塩、亜鉛塩等；有機酸塩としては、例えば酢酸、デヒドロ酢酸、クエン酸、りんご酸、コハク酸、アスコルビン酸、ステアリン酸等の有機酸類の塩；アミン塩及びアミノ酸塩としては、例えば、トリエタノールアミン等のアミン類の塩、グルタミン酸等のアミノ酸類の塩等がある。また、その他、ヒアルロン酸、コンドロイチン硫酸等の塩、アルミニウムジルコニウムグリシン錯体等や、更には、化粧品処方の中で使用される酸−アルカリの中和塩等も使用することができる。
酸化防止剤としては、トコフェロール、ｐ−ｔ−ブチルフェノール、ブチルヒドロキシアニソール、ジブチルヒドロキシトルエン、フィチン酸等、ｐＨ調整剤としては、乳酸、クエン酸、グリコール酸、コハク酸、酒石酸、ｄｌ−リンゴ酸、炭酸カリウム、炭酸水素ナトリウム、炭酸水素アンモニウム等、キレート剤としては、アラニン、エデト酸ナトリウム塩、ポリリン酸ナトリウム、メタリン酸ナトリウム、リン酸等、清涼剤としては、Ｌ−メントール、カンフル等、抗炎症剤としては、アラントイン、グリチルリチン酸及びその塩、グリチルレチン酸及びグリチルレチン酸ステアリル、トラネキサム酸、アズレン等が挙げられる。
【００６６】
美肌用成分としては、胎盤抽出液、アルブチン、グルタチオン、ユキノシタ抽出物等の美白剤、ロイヤルゼリー、感光素、コレステロール誘導体、幼牛血液抽出液等の細胞賦活剤、肌荒れ改善剤、ノニル酸ワレニルアミド、ニコチン酸ベンジルエステル、ニコチン酸β−ブトキシエチルエステル、カプサイシン、ジンゲロン、カンタリスチンキ、イクタモール、カフェイン、タンニン酸、α−ボルネオール、ニコチン酸トコフェロール、イノシトールヘキサニコチネート、シクランデレート、シンナリジン、トラゾリン、アセチルコリン、ベラパミル、セファランチン、γ−オリザノール等の血行促進剤、酸化亜鉛、タンニン酸等の皮膚収斂剤、イオウ、チアントロール等の抗脂漏剤等が挙げられる。
【００６７】
ビタミン類としては、ビタミンＡ油、レチノール、酢酸レチノール、パルミチン酸レチノール等のビタミンＡ類、リボフラビン、酪酸リボフラビン、フラビンアデニンヌクレオチド等のビタミンＢ２類、ピリドキシン塩酸塩、ピリドキシンジオクタノエート、ピリドキシントリパルミテート等のビタミンＢ６類、ビタミンＢ１２及びその誘導体、ビタミンＢ１５及びその誘導体等のビタミンＢ類、Ｌ−アスコルビン酸、Ｌ−アスコルビン酸ジパルミチン酸エステル、Ｌ−アスコルビン酸−２−硫酸ナトリウム、 Ｌ−アスコルビン酸リン酸ジエステルジカリウム等のビタミンＣ類、エルゴカルシフェロール、コレカルシフェロール等のビタミンＤ類、α−トコフェロール、β−トコフェロール、γ−トコフェロール、酢酸ｄｌ−α−トコフェロール、ニコチン酸ｄｌ−α−トコフェロール、コハク酸ｄｌ−α−トコフェロール等のビタミンＥ類、ビタミンＨ、ビタミンＰ、ニコチン酸、ニコチン酸ベンジル、ニコチン酸アミド等のニコチン酸類、パントテン酸カルシウム、Ｄ−パントテニルアルコール、パントテニルエチルエーテル、アセチルパントテニルエチルエーテル等のパントテン酸類、ビオチン等がある。
【００６８】
アミノ酸類としては、グリシン、バリン、ロイシン、イソロイシン、セリン、トレオニン、フェニルアラニン、アルギニン、リジン、アスパラギン酸、グルタミン酸、シスチン、システイン、メチオニン、トリプトファン等、核酸としては、デオキシリボ核酸等、ホルモンとしては、エストラジオール、エテニルエストラジオール等が挙げられる。
【００６９】
毛髪固定用高分子化合物としては、両性、アニオン性、カチオン性、非イオン性の各高分子化合物が挙げられ、ポリビニルピロリドン、ビニルピロリドン／酢酸ビニル共重合体等の、ポリビニルピロリドン系高分子化合物、メチルビニルエーテル／無水マレイン酸アルキルハーフエステル共重合体等の酸性ビニルエーテル系高分子化合物、酢酸ビニル／クロトン酸共重合体等の酸性ポリ酢酸ビニル系高分子、（メタ）アクリル酸／アルキル（メタ）アクリレート共重合体、（メタ）アクリル酸／アルキル（メタ）アクリレート／アルキルアクリルアミド共重合体等の酸性アクリル系高分子化合物、Ｎ−メタクリロイルエチル−Ｎ、Ｎ−ジメチルアンモニウム・α−Ｎ−メチルカルボキシベタイン／アルキル（メタ）アクリレート共重合体、ヒドロキシプロピル（メタ）アクリレート／ブチルアミノエチルメタクリレート／アクリル酸オクチルアミド共重合体等の両性アクリル系高分子化合物が挙げられる。また、セルロースまたはその誘導体、ケラチンおよびコラーゲンまたはその誘導体等の天然由来高分子化合物も好適に用いることができる。
【００７０】
本発明において、化粧料の剤形もしくは形態は特に限定されず、水性、油性、油中水型エマルジョン、水中油型エマルジョン、非水エマルジョン、Ｗ／Ｏ／ＷやＯ／Ｗ／Ｏなどのマルチエマルジョン、サスペンジョン、ペースト、固形であってよい。
【００７１】
化粧料の用途も任意のものであってよい。例えば、化粧水、乳液、クリーム、クレンジング、パック、オイルリキッド、マッサージ料、美容液、美容オイル、ハンドクリーム、リップクリーム、しわ隠し等のスキンケア化粧料；メークアップ下地、コンシーラー、白粉、パウダーファンデーション、リキッドファンデーション、クリームファンデーション、油性ファンデーション、頬紅、アイシャドウ、マスカラ、アイライナー、アイブロウ、口紅等のメークアップ化粧料；シャンプー、リンス、トリートメント、セット剤等の毛髪化粧料；日焼け止めオイルや日焼け止め乳液、日焼け止めクリームなどの紫外線防御化粧料；その他、洗浄剤、脱臭剤、制汗剤等が挙げられる。
【実施例】
【００７２】
以下に、本発明に関して実施例を挙げて説明するが、本発明は、これらに限定されるものではない。
【００７３】
＜実施例１＞
反応器に下記式（１０）で表されるオルガノハイドロジェンポリシロキサン２３４質量部と、
2011026485.tif 000014
下記式（１１）で表される無水アリルコハク酸４４．１質量部と、
2011026485.tif 000015
トルエン１００質量部を仕込み、そこへ、塩化白金酸０．５質量％のトルエン溶液０．１部を加えた後、還流下で２時間反応させた。反応物を減圧下で加熱してトルエンを溜去し、下記式（１２）で表される酸無水物基含有オルガノポリシロキサンを得た。
2011026485.tif 000016
2011026485.tif 000017
上記酸無水物基含有オルガノポリシロキサン２５０質量部にテトラヒドロフラン１００質量部、２−アミノ−１，３−プロパンジオール２４．７質量部を添加し、還流下で２時間反応させた。反応物を減圧留去して、下記式（１３）で表されるカルボキシル基含有オルガノポリシロキサンを得た。
2011026485.tif 000018
2011026485.tif 000019
【００７４】
＜実施例２＞
反応器に下記式（１４）で表されるオルガノハイドロジェンポリシロキサン２４１質量部と、
2011026485.tif 000020
上記式（１１）で表される無水アリルコハク酸１４．７質量部と、トルエン１００質量部を仕込み、塩化白金酸０．５質量％のトルエン溶液０．１部を加えた後、還流下で２時間反応させた。反応物を減圧下で加熱して溶剤を溜去し、下記式（１５）で表される酸無水物基含有オルガノポリシロキサンを得た。
2011026485.tif 000021
2011026485.tif 000022
上記酸無水物基含有オルガノポリシロキサン２５５質量部にテトラヒドロフラン１００質量部、２−アミノ−１．３−プロパンジオール９．１質量部を添加し、還流下で２時間反応させた。反応物を減圧留去して、下記式（１６）で表されるカルボキシル基含有オルガノポリシロキサンを得た。
2011026485.tif 000023
2011026485.tif 000024
【００７５】
＜実施例３＞
反応器に下記式（１７）で表されるオルガノハイドロジェンポリシロキサン２６６質量部と、
2011026485.tif 000025
上記式（１１）で表される無水アリルコハク酸５８．８質量部と、トルエン１００質量部を仕込み、塩化白金酸０．５質量％のトルエン溶液０．１部を加えた後、還流下で２時間反応させた。反応物を減圧下で加熱して溶剤を溜去し、下記式（１８）で表される酸無水物基含有オルガノポリシロキサンを得た。
2011026485.tif 000026
2011026485.tif 000027
上記酸無水物基含有オルガノポリシロキサン２５０質量部にテトラヒドロフラン１００質量部、ジエタノールアミン３３質量部を添加し、還流下で２時間反応させた。反応物を減圧蒸留に付して、下記式（１９）で表されるカルボキシル基含有オルガノポリシロキサンを得た。
2011026485.tif 000028
2011026485.tif 000029
【００７６】
＜実施例４＞
反応器に下記式（２０）で表されるオルガノハイドロジェンポリシロキサン２４０質量部と、
2011026485.tif 000030
上記式（１１）で表される無水アリルコハク酸２８．０質量部と、下記式（２１）で表される片末端にビニル基を有するオルガノポリシロキサン１６８質量部と
2011026485.tif 000031
トルエン１００質量部を仕込み、塩化白金酸０．５質量％のトルエン溶液０．１部を加えた後、溶剤の還流下で２時間反応させた。反応物を減圧下で加熱して溶剤を溜去し、下記平均式（２２）で表される酸無水物基含有オルガノポリシロキサンを得た。
2011026485.tif 000032
2011026485.tif 000033
2011026485.tif 000034
上記酸無水物基含有オルガノポリシロキサン２５０質量部にテトラヒドロフラン１００質量部、２−アミノ−１，３−プロパンジオール１０．５質量部を添加し、還流下で５時間反応させた。反応物を減圧蒸留に付して、下記式（２３）で表されるカルボキシル基含有オルガノポリシロキサンを得た。
2011026485.tif 000035
2011026485.tif 000036
2011026485.tif 000037
【００７７】
＜実施例５〜８、比較例１〜２＞
実施例１〜４で得られたオルガノポリシロキサンを使用して、下表に示す処方（質量部）の油性ファンデーションを作成し評価を行った。
【００７８】
【表１】
2011026485.tif 000038
（注１）ＫＦ−６１０５、信越化学工業（株）製
（注２）下記式で示されるポリシロキサン
2011026485.tif 000039
（製造方法）
Ａ：成分１〜１０を加熱溶融した。
Ｂ：成分１１〜１５をＡで得られた溶融物と混合した。
Ｃ：Ｂを三本ローラーにて均一に分散した。
Ｄ：Ｃを加熱溶融し、脱泡した後、金属製の型に充填し、冷却した。
【００７９】
得られたファンデーションについて、女性５０名の専門パネルにより使用テストを行ない、皮膚への密着性、伸びの軽さ、化粧膜の均一性、化粧持ちの良さについて、下記に示される基準に従って評価を行なった。
［評価基準］    
2011026485.tif 000040
評価項目毎に、全パネルの評価点の平均を取った。表２における、各符号の意味は以下のとおりである。
2011026485.tif 000041
【００８０】
【表２】
2011026485.tif 000042
【００８１】
表２に示すように、比較例１、２は、顔料の分散性が悪く、伸び性及び化粧持ちも悪かった。これに対して、実施例５〜８のファンデーションは顔料がきめ細かく分散され、伸びが軽く、皮膚への密着性に優れ、化粧膜も均一で持ちが良かった。
【００８２】
＜実施例９、１０、比較例３、４＞
実施例１、２で得られたオルガノポリシロキサンを使用して、下表に示す処方（質量部）のＷ／Ｏ型ファンデーションを作成し評価を行った。
【００８３】
【表３】
2011026485.tif 000043
（注１）、（注２）は上記のとおり
（注３）粉体質量に対して２％のメチルハイドロジェンポリロキサンを添加後、１５０℃で加熱処理した。
（製造方法）
Ａ：成分１〜７を加熱混合し、成分８〜１３を添加して均一になるように攪拌した。
Ｂ：成分１４、１５を１７中に加熱溶解した。
Ｃ：攪拌下、Ａで得られた混合物にＢで得られた溶液を徐添して乳化し、冷却して成分１６を添加しファンデーションを得た。
【００８４】
得られたファンデーションについて、実施例５〜８と同様に女性５０名の専門パネルにより使用テストを行ない、評価した。
【００８５】
【表４】
2011026485.tif 000044
上表から明らかなように、実施例９、１０のファンデーションは比較例３、４に比べ、化粧膜が均一で、化粧持ちの良いものであった。また、比較例４は乳化性が悪く、また、経時安定性が悪く、相分離した。
【００８６】
以下の実施例において、経時安定性は化粧料を密閉容器に入れて５０℃で1ヶ月放置した後の外観上の変化が無いことによって確認した。また「％」は「質量％」を意味する。
実施例１１：アイライナー
2011026485.tif 000045
（注１）シリコーン樹脂：[Me3SiO1/2]/[SiO2]比が0.8のシリコーン網状化合物の50%-Ｄ５溶液
（注２）シリコーン処理黒酸化鉄；黒酸化鉄の質量に対し、２質量％のメチルハイドロジェンポリシロキサン添加後、１５０℃で加熱処理したもの
（製造方法）
Ａ：成分１〜４を混合し、成分５を加えて均一に混合分散した。
Ｂ：成分６〜８及び１０を混合した。
Ｃ：Ｂで得られた混合物をＡで得られた分散物に徐添して乳化した後、成分９を加えてアイライナーを得た。
以上のようにして得られたアイライナーは、のびが軽くて描きやすく、べたつきがなく、温度や経時による変化もなく、化粧持ちも非常に良かった。
【００８７】
実施例１２：サンタン乳液  
2011026485.tif 000046
注１）乳化剤組成物：下記ａ〜ｃから成る組成物
ａ．実施例３のオルガノポリシロキサン；１０．０質量部
ｂ．ジオクタデシルジメチルアンモニウム塩変性モンモリロナイト；１０．０質量部
ｃ．エタノール；４０．０質量部
（製造方法）
Ａ：成分ａをｃに溶解し、成分ｂを添加した。
Ｂ：Ａをディスパーにて１時間攪拌した後、エバポレーターでエタノールを除去した。
Ｃ：Ｂで得られた混合物を５０℃で一昼夜乾燥し、成分１の乳化剤組成物を得た。
Ｄ：Ｃで得られた成分１及び２を混合した。
Ｅ：成分３〜６及び８を均一に混合した。
Ｄ：攪拌下、Ｄで得られた混合物にＥで得られた混合物を徐添して乳化し、成分７を添加しサンタン乳液を得た。
以上のようにして得られたサンタン乳液は、キメが細かく、のび広がりが軽くてべたつきや油っぽさがなく、さっぱりとした使用感を与えると共に、経時変化も無かった。
【００８８】
実施例１３：サンタンクリーム  
2011026485.tif 000047
（製造方法）
Ａ：成分１〜７及び１６〜１７を加熱溶解した。
Ｂ：成分１５及び１９の一部を加熱攪拌後、成分８〜１２を添加し分散処理した。
Ｃ：成分１３〜１４及び１９の残部を溶解し、Ｂで得られた分散物と混合した。
Ｄ：攪拌下、Ａで得られた混合物にＣで得られた分散物を徐添して乳化し、冷却して成分１８を添加しサンタンクリームを得た。
以上のようにして得られたサンタンクリームは、キメが細かく、のび広がりが軽くてべたつきがなく、みずみずしく、さっぱりとした使用感を与えると共に、経時変化も無かった。さらに化粧持ちも良かった。
【００８９】
実施例１４：ヘアクリーム  
2011026485.tif 000048
（製造方法）
シリコーン樹脂：[Me3SiO1/2]/[SiO2]比が0.8のシリコーン網状化合物の50%-Ｄ５溶液
Ａ：成分１〜６及び１１〜１２を加熱混合した。
Ｂ：成分７〜１０及び１５を加熱溶解した。
Ｃ：攪拌下、Ａで得られた混合物にＢで得られた溶液を徐添して乳化し、冷却して成分１４を添加し、ヘアクリームを得た。
以上のようにして得られたヘアクリームは、のび広がりが軽くてべたつきや油っぽさがなく、みずみずしく、さっぱりとした使用感を与えると共に、経時変化も無かった。
【００９０】
実施例１５：アイリンクルクリーム  
2011026485.tif 000049
（製造方法）
Ａ：成分１〜３及び８を加熱混合した。
Ｂ：成分４〜７及び１０を加熱溶解した。
Ｃ：攪拌下、Ａで得られた混合物にＢで得られた溶液を徐添して乳化し、冷却して成分９を添加し、アイリンクルクリームを得た。
以上のようにして得られたアイリンクルクリームは、のび広がりが軽くてべたつきや油っぽさがなく、みずみずしく、さっぱりとした使用感を与えると共に経時変化も無かった。さらに化粧持ちも良かった。
【００９１】
実施例１６：クリーム  
2011026485.tif 000050
（製造方法）
Ａ：成分１〜４及び８を加熱混合した。
Ｂ：成分５〜７及び１０を加熱溶解した。
Ｃ：攪拌下、Ａで得られた混合物にＢで得られた溶液を徐添して乳化し、冷却して成分９を添加し、クリームを得た。
以上のようにして得られたクリームは、のび広がりが軽くてべたつきや油っぽさがなく、みずみずしく、さっぱりとした使用感を与えると共に、経時変化も無かった。
【００９２】
実施例１７：ハンドクリーム  
2011026485.tif 000051
（注１）：有機シリコーン樹脂；平均式（ＣＨ３）１．６０ＳｉＯ１．２０、分子量３，０００ 
（製造方法）
Ａ：成分１〜６及び１０を加熱混合した。
Ｂ：成分７〜９及び１２を加熱溶解した。
Ｃ：攪拌下、Ａで得られた混合物にＢをで得られた溶液を徐添して乳化し、冷却して成分１１を添加し、ハンドクリームを得た。
以上のようにして得られたハンドクリームは、のび広がりが軽くてべたつきや油っぽさがなく、みずみずしく、さっぱりとした使用感を与えると共に、経時変化も無かった。皮膚上での撥水性が良好で持ちも良くかった。
【００９３】
実施例１８：日焼け止めクリーム  
2011026485.tif 000052
（製造方法）
Ａ：成分１〜６及び９を加熱混合した。
Ｂ：成分７〜８及び１１を加熱し均一になるよう分散混合した。
Ｃ：攪拌下、Ａで得られた混合物にＢで得られた分散物を徐添して乳化し、冷却して成分１１を添加し日焼け止めクリームを得た。
以上のようにして得られた日焼け止めクリームは、キメが細かく、のび広がりが軽く、経時変化も無かった。また、べたつきがないため、砂が全くつかず、使用性が非常に良かった。さらに、化粧持ちも良いため、紫外線防止効果が持続した。
【００９４】
実施例１９：クリーム  
2011026485.tif 000053
（製造方法）
Ａ：成分１〜４を加熱混合した。
Ｂ：成分５〜７及び９を加熱溶解した。
Ｃ：攪拌下、Ａで得られた混合物にＢで得られた溶液を徐添して乳化し、冷却して成分８を添加し、クリームを得た。
以上のようにして得られたクリームは、のび広がりが軽くてべたつきや油っぽさがなく、しっとりとしてみずみずしく、さっぱりとした使用感を与えると共に、経時変化も無かった。さらに、皮膚上での耐水性や撥水性が良好で持ちも良かった。
【００９５】
実施例２０：アイシャドウ 
2011026485.tif 000054
（注１）シリコーン処理；粉体質量に対して３質量％のメチルハイドロジェンポリシロキサン添加後、１５０℃で加熱処理したもの
（製造方法）
Ａ：成分１〜４を混合し、成分５〜７を添加して均一になるよう分散した。
Ｂ：成分８〜１０及び１２を均一溶解した。
Ｃ：攪拌下、Ａで得られた分散物にＢで得られた溶液を徐添して乳化し、成分１１を添加してアイシャドウを得た。
以上のようにして得られたアイシャドウは、のび広がりが軽くて油っぽさや粉っぽさがなく、みずみずしく、さっぱりとした使用感を与えると共に、耐水性や撥水性、耐汗性が良好で持ちも良く、化粧崩れしにくく、温度や経時的に変化がなく安定性にも優れていることがわかった。
【００９６】
実施例２１：アイライナー  
2011026485.tif 000055
（注１）シリコーン処理黒酸化鉄；黒酸化鉄質量に対し、２質量％のメチルハイドロジェンポリシロキサン添加後、１５０℃で加熱処理したもの
（製造方法）
Ａ：成分１〜４を加温混合し、成分５を添加して均一になるよう分散した。
Ｂ：成分６〜８を加温溶解した。
Ｃ：攪拌下、Ａで得られた分散物にＢで得られた混合物を徐添して乳化し、アイライナーを得た。
以上のようにして得られたアイライナーは、のびが軽くて油っぽさや粉っぽさがなく、みずみずしく、さっぱりとした使用感を与えると共に、経時変化も無かった。施与されたアイライナーは撥水性、耐汗性が良好で持ちも良く、化粧崩れしにくかった。
【００９７】
実施例２２：リップクリーム  
2011026485.tif 000056
（製造方法）
Ａ：成分１〜８を加熱混合した。
Ｂ：成分９〜１６及び１８を加熱溶解した。
Ｃ：攪拌下、Ａで得られた混合物にＢで得られた溶液を徐添して乳化し、成分１７を添加してカプセルに充填し、リップクリームを得た。
以上のようにして得られた固形状の油中水型リップクリームは、のび広がりが軽くてべたつきや油っぽさがなく、しっとりとしてみずみずしく、さっぱりとした使用感を与えると共に経時変化も無く、施与されたリップクリームは持ちがよかった。
【００９８】
実施例２３：液状乳化ファンデーション  
2011026485.tif 000057
（注１）疎水化処理粉体；粉体質量に対し、２質量％のステアリン酸で処理したもの
（製造方法）
Ａ：成分１〜８を加熱混合し、成分９〜１４を添加して均一にした。
Ｂ：成分１５〜１７及び１９を加熱溶解した。
Ｃ：攪拌下、Ａで得られた混合物にＢで得られた溶液を徐添して乳化し、冷却して成分１８を添加し液状乳化ファンデーションを得た。
以上のようにして得られた液状乳化ファンデーションは、粘度が低くキメが細かく、のび広がりが軽くてべたつきや油っぽさがなく、しっとりとしてみずみずしく、さっぱりとした使用感を与えると共に経時変化も無かった。皮膚上での化粧持ちも良かった。
【００９９】
実施例２４：発汗抑制剤
2011026485.tif 000058
（製造方法）
Ａ：成分１〜２を混合した。
Ｂ：成分４を５に溶解し、成分３を加えた。
Ｃ：攪拌下、Ａで得られた混合物にＢで得られた溶液を徐添して乳化し、発汗抑制剤を得た。
以上のようにして得られた発汗抑制剤は、のび広がりが軽くてべたつきや油っぽさがなく、しかもあまり白くならず、さっぱりとした使用感を与えると共に、経時変化も無かった。
【０１００】
実施例２５：クレンジングクリーム  
2011026485.tif 000059
（製造方法）
Ａ：成分１〜８を加熱混合した。
Ｂ：成分９〜１１及び１３を加熱溶解した。
Ｃ：攪拌下、Ａで得られた混合物にＢで得られた溶液を徐添して乳化し、冷却して成分１２を添加しクレンジングクリームを得た。
以上のようにして得られたクレンジングクリームは、キメが細かく、のび広がりが軽くてべたつきや油っぽさがなく、しっとりとしてみずみずしく、さっぱりとした使用感を与えると共に、クレンジング効果も高く、経時変化も無かった。
【０１０１】
実施例２６：クリーム  
2011026485.tif 000060
（製造方法）
Ａ：成分１〜６を加熱し、均一に混合した。
Ｂ：成分７〜９及び１１を加熱溶解した。
Ｃ：攪拌下、Ａで得られた混合物にＢで得られた溶液を徐添して乳化し、冷却して成分１１を添加しクリームを得た。
以上のようにして得られたクリームは、キメが細かく、のび広がりが軽くてべたつきや油っぽさがなく、しっとりとしてみずみずしく、さっぱりとした使用感を与えると共に、経時変化も無かった。また、皮膚上での化粧持ちも非常に良かった。
【０１０２】
実施例２７：クリーム  
2011026485.tif 000061
（注１）疎水化処理微粒子酸化チタン粉体；平均粒径０．０５μｍの微粒子酸化チタンを１０％になるように水に分散させ、ＳｉＯ２換算で酸化チタンに対して２％に相当する１０％ケイ酸ナトリウム溶液（ＳｉＯ２／Ｎａ２Ｏモル比＝０．５）を加えて十分攪拌した後、Ａｌ２Ｏ３換算で酸化チタンに対して７．５％に相当する１０％硫酸アルミニウム溶液を徐々に添加し、酸化チタンの表面にケイ酸の水和物及びアルミナの水和物を沈着させた。反応終了後、濾過・洗浄・乾燥した後、ジェットミルで粉砕した。これをヘンシェルミキサーに移し、十分攪拌しつつメチルハイドロジェンポリシロキサンを２％添加し、混合攪拌した後、１２０℃で焼成処理を行った。
（製造方法）
Ａ：成分１〜５を加熱混合し、成分６を添加して均一に混合した。
Ｂ：成分７〜９及び１１を加熱溶解した。
Ｃ：攪拌下、Ａで得られた混合物にＢで得られた溶液を徐添して乳化し、冷却して成分１１を添加しクリームを得た。
以上のようにして得られたクリームは、キメが細かく、のび広がりが軽くてべたつきや油っぽさがなく、しっとりとしてみずみずしく、さっぱりとした使用感を与えると共に、経時変化も無かった。また、皮膚上での化粧持ちも非常に良かった。
【０１０３】
実施例２８：透明ゲル化粧料  
2011026485.tif 000062
（製造方法）
Ａ：成分３〜１１を均一溶解した。
Ｂ：成分１〜２を混合し、均一にした。
Ｃ：攪拌下、Ａで得られた溶液をＢで得られた混合物に徐添、乳化して透明ゲル化粧料を得た。
以上のようにして得られた透明ゲル化粧料は、のび広がりが軽く、べたつきや油っぽさがなく、しっとりとしてみずみずしく、さっぱりとした使用感を与えると共に、皮膚になじみやすく、経時変化も無かった。
【０１０４】
実施例２９：日焼け止め化粧水  
2011026485.tif 000063
（注１）疎水化処理超微粒子酸化チタン；チタンＴＴＯ−Ｖ−４（石原産業社製）
（製造方法）
Ａ：成分６〜１４を均一になるよう溶解した。
Ｂ：成分１〜４を混合し、成分５を加えて均一にした。
Ｃ：攪拌下、ＡにＢを徐添、乳化して日焼け止め化粧水を得た。
以上のようにして得られた日焼け止め化粧水は、のび広がりが軽く、べたつきや油っぽさがなく、しっとりとしてみずみずしく、さっぱりとした使用感を与えると共に、皮膚になじみやすく、経時変化も無かった。また、日焼け止め効果にも優れていた。
【０１０５】
実施例３０：クリーム  
2011026485.tif 000064
（製造方法）
Ａ：成分１〜３均一に混合した。
Ｂ：成分５〜７を加温し、均一にした。
Ｃ：成分４、９を均一に溶解した。
Ｄ：攪拌下、Ａで得られた混合物にＢで得られた混合物を徐添、さらにＣで得られた溶液を加えて乳化し、成分８を添加しクリームを得た。
以上のようにして得られたクリームは、キメが細かくてのび広がりが軽く、べたつきや油っぽさがなく、しっとりとしてみずみずしく、さっぱりとした使用感を与えると共に、皮膚になじみやすく、経時変化も無かった。さらに、美白効果にも優れていた。
【０１０６】
実施例３１：乳液  
2011026485.tif 000065
（製造方法）
Ａ：成分１〜７を加熱混合した。
Ｂ：成分８〜１０及び１２を加熱溶解した。
Ｃ：攪拌下、Ａで得られた混合物にＢで得られた溶液を徐添して乳化し、冷却して成分１１を添加し乳液を得た。
以上のようにして得られた乳液は、低粘度でキメが細かく、のび広がりが軽くてべたつきや油っぽさがなく、しっとりとしてみずみずしく、さっぱりとした使用感を与えると共に経時変化も無かった。さらに皮膚上での化粧持ちも良かった。
【０１０７】
実施例３２：乳液  
2011026485.tif 000066
（注１）ポリオキシアルキレン・アルキル共変性オルガノポリシロキサン；ＫＦ６０２６（信越化学工業（株）製）
（製造方法）
Ａ：成分１〜９を加熱混合した。
Ｂ：成分１０〜１２及び１４を加熱溶解した。
Ｃ：攪拌下、Ａで得られた混合物にＢで得られた溶液を徐添して乳化し、冷却して成分１３を添加し乳液を得た。
以上のようにして得られた乳液は、低粘度でキメが細かく、のび広がりが軽くてべたつきや油っぽさがなく、しっとりとしてみずみずしく、さっぱりとした使用感を与えると共に経時変化も無かった。さらに、皮膚上での化粧持ちも良かった。
【０１０８】
実施例３３：日焼け止めクリーム
2011026485.tif 000067
（製造方法）
Ａ：成分１〜５を加熱混合した。
Ｂ：成分６〜８及び１０を加熱溶解した。
Ｃ：攪拌下、Ａで得られた混合物にＢで得られた溶液を徐添して乳化し、冷却して成分９を添加し日焼け止めクリームを得た。
以上のようにして得られた日焼け止めクリームは、キメが細かく、のび広がりが軽く、しっとりとしてみずみずしく、油っぽさやべたつきがなく、経時変化も無かった。また、施与されたクリームは、耐水性、耐汗性に優れて化粧持ちも良く、紫外線防止効果も持続した。
【０１０９】
実施例３４：クリーム  
2011026485.tif 000068
（製造方法）
Ａ：成分１〜４を加熱混合した。
Ｂ：成分５〜７及び９を加熱溶解した。
Ｃ：攪拌下、Ａで得られた混合物にＢで得られた溶液を徐添して乳化し、冷却して成分８を添加しクリームを得た。
以上のようにして得られたクリームは、キメが細かく、のび広がりが軽く、しっとりとしてみずみずしく、油っぽさやべたつきがなく、経時変化も無かった。
【０１１０】
実施例３５：ファンデーション 
2011026485.tif 000069
（製造方法）
Ａ：成分７〜１１を均一に混合した。
Ｂ：成分１〜６及び１５を加熱混合し、Ａで得られた混合物を加えて均一になるよう分散混合した。
Ｃ：成分１２〜１３及び１７を加温して溶液とし、これをＢで得られた分散物に添加して乳化し、冷却して成分１４、及び１６を加え、ファンデーションを得た。
以上のようにして得られたファンデーションは、べたつきがなく、のび広がりも軽く、しかも、さっぱりとした高い清涼感を与えた。乳化状態が良好で、経時変化も無かった。
【０１１１】
実施例３６：液状ファンデーション 
2011026485.tif 000070
（注１）ポリオキシアルキレン変性シリコーン；ＫＦ６０１７（信越化学工業社製）
（注２）疎水化シリカ；アエロジルＲＹ２００（日本アエロジル（株）社製）
（製造方法）
Ａ：成分８〜１２を均一に混合した。
Ｂ：成分１〜７及び１６を７０℃に加熱混合し、Ａで得られた混合物を加えて均一になるよう分散混合した。
Ｃ：成分１３〜１８を７０℃に加温して溶液とし、これをＢで得られた混合物に添加して乳化し、冷却して成分１７を加え、液状ファンデーションを得た。
以上のようにして得られた液状ファンデーションは、べたつきがなく、のび広がりも軽く、清涼感を与えた。乳化状態が良好で、経時変化も無かった。
【０１１２】
実施例３７：日焼け止め乳液  
2011026485.tif 000071
（製造方法）
Ａ：成分１〜５を加熱混合し、成分６を均一分散した。
Ｂ：成分７〜９及び１１を加熱混合した。
Ｃ：攪拌下、Ａで得られた分散物にＢで得られた混合物を徐添して乳化し、冷却して成分１０を添加し日焼け止め乳液を得た。
以上のようにして得られた日焼け止め乳液は、粘度が低く、キメが細かでのび広がりが軽く、べたつきもなく、経時変化も無かった。また、化粧持ちに優れ、紫外線防止効果も持続した。
【０１１３】
実施例３８：日焼け止め乳液  
2011026485.tif 000072
（製造方法）
Ａ：成分１〜６を加熱混合し、成分７を均一に分散した。
Ｂ：成分８〜１０及び１２を加熱混合した。
Ｃ：攪拌下、Ａで得られた分散物にＢで得られた混合物を徐添して乳化し、冷却して成分１１を添加し日焼け止め乳液を得た。
以上のようにして得られた日焼け止め乳液は、キメが細かく、のび広がりが軽く、べたつきがなく、経時変化も無かった。また、化粧持ちも良く、紫外線防止効果が持続した。
【０１１４】
実施例３９：美容液  
2011026485.tif 000073
（注１）ポリオキシアルキレン・アルキル共変性オルガノポリシロキサン；ＫＦ６０２６（信越化学工業（株）製） 
（製造方法）
Ａ：成分１〜４を加熱混合した。
Ｂ：成分５〜８及び１０を加熱し、均一な溶液とした。
Ｃ：攪拌下、Ａで得られた混合物にＢで得られた溶液を徐添して乳化し、冷却して成分９を添加し、美容液を得た。
以上のようにして得られた美容液は、キメが細かく、のび広がりが軽く、べたつきがなく、しっとり感を与え、また、経時変化も無かった。
【０１１５】
実施例４０：クリーム  
2011026485.tif 000074
（注１）疎水化処理微粒子酸化チタン；ステアリン酸アルミニウム処理微粒子酸化チタン
（製造方法）
Ａ：成分１〜４及び１１を混合した後、成分５を混合攪拌した。
Ｂ：成分６〜１０及び１２〜１３を均一に溶解した。
Ｃ：Ａで得られた混合物にＢで得られた溶液を徐添して乳化し、クリームを得た。
以上のようにして得られたクリームは、大量のクエン酸を含有するにもかかわらず、のび広がりが軽く、べたつきがなく、皮膚上でもしっとりとしてべたつかず、また、経時変化も無かった。
【０１１６】
実施例４１：洗い流しタイプパック化粧料  
2011026485.tif 000075
（製造方法）
Ａ：成分１〜２及び８を混合した。
Ｂ：成分４〜７及び９を均一混合した後、成分３を混合攪拌した。
Ｃ：Ｂで得られた混合物にＡで得られた混合物を添加し乳化させ、ペースト状の洗い流しタイプのパック化粧料を得た。
以上のようにして得られた洗い流しタイプのパック化粧料は、のび広がりが軽かった。洗い流した後は、肌がしっとりと、つるつるした感触になった。また、経時変化も無かった。
【０１１７】
実施例４２：ふきとり型クレンジング  
2011026485.tif 000076
（製造方法）
Ａ：成分１〜４及び６〜８を加熱混合した。
Ｂ：成分５及び９を加熱混合して溶液とした後、攪拌しながらＡで得られた混合物に加えて乳化し、ふきとり型クレンジングを得た。
以上のようにして得られたふきとり型クレンジングは、べたつきがなく、のび広がりも軽く、拭き取った後は、皮膚がしっとりとした。また、経時変化も無かった。
【０１１８】
実施例４３：アフターシェーブクリーム  
2011026485.tif 000077
（製造方法）
Ａ：成分１〜３及び９、１０を加熱混合した。
Ｂ：成分４〜８を加熱混合した。
Ｃ： Ａで得られた混合物にＢで得られた混合物を徐添して乳化し、アフターシェーブクリームを得た。
以上のようにして得られたアフターシェーブクリームは、塗布中にはのび広がりも軽く、べたつきもなかった。塗布後は、たれることもなく、しっとり感を与えた。また、経時変化も無かった。
【０１１９】
実施例４４：脱臭剤  
2011026485.tif 000078
（製造方法）
Ａ：成分１〜３を混合した。
Ｂ：成分５を４に溶解し、成分６〜９を混合した。
Ｃ：Ａで得られた混合物を激しく攪拌しながらＢで得られた混合物を加えて乳化した。
Ｄ：エアゾール缶にＣを６５部、噴射剤（ｎ−ブタン、イソブタン、プロパン混合物）３５部を加え、脱臭剤を得た。
以上のようにして得られた脱臭剤は、多めに吹き付けてもたれることなく、べたつきもなく、さらっとしていて脱臭効果が持続した。また、経時変化も無かった。
【０１２０】
実施例４５：液状ファンデーション  
2011026485.tif 000079
（注１）フッ素変性シリコーン；ＦＬ−１００（信越化学工業社製）
（注２）球状シリコーン樹脂粉体；ＫＭＰ５９０（信越化学工業（株）製）
（注３）フッ素化合物処理；パーフルオロアルキルエチルリン酸ジエタノールアミン塩にて５％被覆したもの
（製造方法）
Ａ：成分７〜１３を均一に混合した。
Ｂ：成分１〜６を７０℃に加熱混合し、Ａで得られた混合物を加えて均一になるよう分散及び混合した。
Ｃ：成分１４〜１７及び１９を４０℃に加温して溶液を得、これをＢで得られた分散物に徐添して乳化し、冷却して成分１８を加え、液状ファンデーションを得た。
以上のようにして得られた液状ファンデーションは、べたつきがなく、のび広がりも軽く、しかも、さっぱり感を与えた。また、経時変化も無かった。
【０１２１】
実施例４６：日焼け止め乳液  
2011026485.tif 000080
（注１）オルガノポリシロキサンエラストマー球状複合粉体；ＫＳＰ−１（信越化学工業（株）製）
（注２）疎水化シリカ；アエロジルＲ９７２（日本アエロジル社製）
（製造方法）
Ａ：成分１の一部に成分５〜６を均一に溶解した。
Ｂ：成分１の残部、成分２〜４を混合し、これにＡで得られた溶液を加え、成分７〜８を混合し、均一になるよう分散した。
Ｃ：成分１３に成分９を加えて溶解し、更に成分１０、１１を混合したものを添加した。
Ｄ：Ｃで得られた混合物をＢで得られた分散物に徐添して乳化した後冷却し、成分１２を加えて日焼け止め乳液を得た。
以上のようにして得られた日焼け止め乳液は、のび広がりも軽く、さらっとしてべたつきがなく、経時変化も無かった。
【０１２２】
実施例４７：乳液  
2011026485.tif 000081
（注１）オルガノポリシロキサンエラストマー球状粉体；ＫＭＰ５９４（信越化学工業（株）製）
（注２）疎水化シリカ；アエロジルＲ９７２（日本アエロジル社製）
（製造方法）
Ａ：成分１〜５を均一に混合し、成分６〜７を加えて均一になるよう分散した。
Ｂ：成分１４に成分８〜１０を加えて溶解し、更に成分１１、１２を混合したものを、添加した。
Ｃ：Ｂで得られた混合物をＡで得られた分散物に徐添して乳化した後冷却し、成分１３を加えて乳液を得た。
以上のようにして得られた乳液は、のび広がりも軽く、さらっとしてべたつきがなく、経時変化も無かった。
【０１２３】
実施例４８：保湿クリーム  
2011026485.tif 000082
（注１）オルガノポリシロキサンエラストマー球状粉体；ＫＭＰ５９４（信越化学工業（株）製）
（注２）疎水化シリカ；アエロジルＲ９７２（日本アエロジル社製）
（製造方法）
Ａ：成分１〜６及び９〜１０を均一に混合し、成分７〜８を加えて均一になるよう分散した。
Ｂ：成分１１〜１４及び１６を加えて溶解した。
Ｃ：Ｂで得られた溶液をＡで得られた混合物に徐添して乳化した後冷却し、成分１５を加えて保湿クリームを得た。
以上のようにして得られた保湿クリームは、のび広がりも軽く、べたつきがなく、経時変化も無かった。
【０１２４】
実施例４９：ハンドクリーム  
2011026485.tif 000083
（注１）アミン当量７００００g/mol
（製造方法）
Ａ：成分１、３を加熱溶解し、成分２、４〜６、１０を加熱添加した。
Ｂ：成分７〜９及び１２を加熱混合した。
Ｃ：Ｂで得られた混合物をＡで得られた混合物に徐添し、乳化した後、冷却し、成分１１を加えてハンドクリームを得た。
以上のようにして得られたハンドクリームは、のび広がりも軽く、べたつきがなく、さっぱり感を与え、経時変化も無かった。該ハンドクリームは、水仕事から効果的に皮膚を保護した。
【０１２５】
実施例５０：アイライナー  
2011026485.tif 000084
（製造方法）
Ａ：成分１〜２、４〜７を混合し、成分３を加えて均一に混合分散した。
Ｂ：成分８〜１０及び１２を混合した。
Ｃ：Ｂで得られた混合物をＡで得られた分散物に徐添して乳化した後冷却し、成分１１を加えてアイライナーを得た。
以上のようにして得られたアイライナーは、のびが軽くて描きやすく、経時変化も無かった。また、皮膚上での、耐水性、耐汗性に優れ、化粧持ちも非常に良かった。
【０１２６】
実施例５１：クリーム 
2011026485.tif 000085
（注１）無水ケイ酸処理酸化亜鉛；酸化亜鉛を５０％内包した粒子径０．０１〜１０μｍのシリカ；サンスフェアＳＺ−５（旭硝子社製）
（注２）オウゴンエキス；５０％ １，３−ブチレングリコール水で抽出したもの
（注３）ゲンチアナエキス；２０％ エタノール水で抽出したもの
（製造方法）
Ａ：成分６〜９を均一に混合した。
Ｂ：成分１〜５を混合し、Ａで得られた混合物を加えた。
Ｃ：成分１０〜１４及び１６を混合した後、Ｂで得られた混合物を加えて乳化した。
Ｄ：Ｃで得られた乳化物を冷却し、成分１５を加えてクリームを得た。
以上のようにして得られたクリームは、べたつきがなく、のび広がりも軽く、しかも、密着感に優れつやのある仕上がりを与え、経時変化も無かった。
【０１２７】
実施例５２：ファンデーション
2011026485.tif 000086
（注１）疎水化処理混合粉体
ａ．微粒子酸化チタン  ８．０
ｂ．微粒子酸化亜鉛    ４．０
ｃ．タルク            ３．０
ｄ．マイカ            ３．０
（製造方法）
Ａ：上記成分ａ〜ｄを混合し、粉体総質量に対し、１質量％のメチルハイドロジェンポリシロキサンを添加後、１５０℃で加熱処理した。
Ｂ：成分１〜５を混合して加温溶解し、成分６〜９を均一になるよう分散した。
Ｃ：成分１０〜１２及び１４を混合した後、Ｂで得られた分散物に加えて乳化した。
Ｄ：Ｃを冷却し、成分１３を加えてファンデーションを得た。
以上のようにして得られたファンデーションは、べたつきがなく、のび広がりも軽く、密着感を与え、経時変化も無かった。つやのある仕上がりを与え、化粧持ちも良かった。  
【０１２８】
実施例５３：メイクアップリムーバー  
2011026485.tif 000087
（製造方法）
Ａ：成分１〜５及び７を加えて均一に溶解した。
Ｂ：Ａで得られた溶液に成分６を加えてメイクアップリムーバーを得た。
以上のようにして得られたメイクアップリムーバーを用いてファンデーションを除去したところ、ファンデーション及び皮脂汚れの落ちが非常に良好であった。使用時の伸びも軽く、使用後のべたつきも無く、経時変化も無かった。
【０１２９】
実施例５４：ヘアメイクリムーバー 
2011026485.tif 000088
（製造方法）
Ａ：成分１〜５及び７を加えて均一に溶解した。
Ｂ：Ａで得られた溶液に成分６を加えてヘアメイクリムーバーを得た。
以上のようにして得られたヘアメイクリムーバーを用いて毛髪を洗浄したところ、ヘアメイクや皮脂汚れの落ちが良好であった。使用時の伸びも軽く、使用後のべたつきも無くさっぱりしていて、経時変化も無かった。
【０１３０】
実施例５５：サンカットクリーム  
2011026485.tif 000089
（注１）ＫＰ５４５；アクリルシリコーン（信越化学工業（株）製）
（注２） ＫＳＧ２１；シリコーンゲル（信越化学工業（株）製）
（製造方法）
Ａ：成分１の一部に成分２を加えて均一にし、成分７を添加してビーズミルにて分散した。
Ｂ：成分１の残部と及び３〜６を混合し、均一に混合した。
Ｃ：成分８〜１０及び１２を混合、溶解した。
Ｄ：Ｂで得られた混合物にＣで得られた溶液を加えて乳化し、Ａ及び成分１１を加添加してサンカットクリームを得た。
以上のようにして得られたサンカットクリームは、べたつきがなく、のび広がりも軽く、密着感を与えた。経時変化も無く、皮膚上での紫外線効果も持続した。
【０１３１】
実施例５６：Ｏ／Ｗハンドクリーム 
2011026485.tif 000090
ＫＰ５４５；アクリルシリコーン（信越化学工業（株）製）
ＫＳＧ１６；シリコーンゲル（信越化学工業（株）製）
セピゲル３０５；（ＳＥＰＰＩＣ社製）
（製造方法）
Ａ：成分１〜７を均一に混合した。
Ｂ：成分８〜１１及び１３を均一に混合した。
Ｃ：Ａで得られた混合物にＢで得られた溶液を加えて乳化し、成分１２を添加してＯ／Ｗハンドクリームを得た。
以上のようにして得られたハンドクリームはのび広がりも軽く、優れた密着感を与え、水仕事から皮膚を効果的に保護した。さらに、経時変化も無かった。
【０１３２】
実施例５７：Ｏ／Ｗハンドクリーム 
2011026485.tif 000091
（注１）ＫＰ５４５；アクリルシリコーン（信越化学工業（株）製）
（注２）ＫＰ５６１；ステアリル変性アクリルシリコーン（信越化学工業（株）製）
（製造方法）
Ａ：成分１〜９を混合、加熱溶解した。
Ｂ：成分１０〜１２及び１４を加熱混合した。
Ｃ：Ａで得られた溶液にＢで得られた混合物を加えて乳化し、冷却して成分１３を添加し、Ｏ／Ｗハンドクリームを得た。
以上のようにして得られたハンドクリームは、べたつきがなく、のび広がりも軽く、優れた密着感を与え、水仕事から皮膚を効果的に保護した。さらに、経時変化も無かった。
【産業上の利用可能性】
【０１３３】
本発明のオルガノポリシロキサンは、アミド結合と２つの水酸基を有し、皮膚との親和性に優れる。該オルガノポリシロキサンは、化粧料に限らず、皮膚に外用される製品に配合するのに好適である。